(57)【要約】【課題】発光体の表面のみならず周縁も光る発光オーナメントを提供することを課題とする。【解決手段】発光オーナメント１は、外装パネル９表面側に配置された発光体３と、発光体３の表面側に配置されたオーナメント本体２と、発光体３の裏面側に配置された光源ユニット４と、を備える。発光体３の周縁は外部に表出している。このため、光源ユニット４の光は、発光体３の表面のみならず発光体３の周縁からも射出される。すなわち、発光体３の表面のみならず周縁も光る。【選択図】  図１
2004271721.tif 000002
【特許請求の範囲】
【請求項１】
外装部材表面側に配置された発光体と、該発光体の表面側に配置されたオーナメント本体と、該発光体の裏面側に配置された光源ユニットと、を備えてなり、該発光体の周縁は外部に表出していることを特徴とする発光オーナメント。
【請求項２】
前記光源ユニットは前記外装部材の裏面側に配置されており、該外装部材には該光源ユニットの光を前記発光体に導く通孔が開設されている請求項１に記載の発光オーナメント。
【請求項３】
前記発光体の周縁は前記オーナメント本体の周縁よりも大きく設定されており、該発光体の周縁には、裏から表に向かう方向に狭まるテーパ面が配置されている請求項１に記載の発光オーナメント。
【請求項４】
前記テーパ面は、表−裏方向に対して３０°以上６０°以下傾斜している請求項３に記載の発光オーナメント。
【請求項５】
前記オーナメント本体裏面と前記発光体表面との間には、光を反射する反射膜が介挿されている請求項１に記載の発光オーナメント。
【請求項６】
さらに前記外装部材の裏面側において前記光源ユニットを保持するブラケットを備え、該光源ユニットにはユニット貫通孔が開設されており、前記発光体には発光体貫通孔が開設されており、前記オーナメント本体裏面からは取り付け脚が突設されており、
該取り付け脚を、該発光体貫通孔および前記通孔および該ユニット貫通孔に貫通させ、該ブラケットに止着することにより、該オーナメント本体および該発光体および該光源ユニットは、該外装部材に組み付けられている請求項２に記載の発光オーナメント。
【請求項７】
前記オーナメント本体は、前記光源ユニットからの光を透過させることができる請求項１に記載の発光オーナメント。
【発明の詳細な説明】
【０００１】
【発明の属する技術分野】
本発明は、車両の外装部材に配置される発光オーナメントに関する。
【０００２】
【従来の技術】
社章、車名などが表示されたオーナメントは、例えばフロントグリルなどに配置されている（特許文献１参照。）。フロントグリルは、例えば、縦バーと横バーとが格子状に交差配置され構成されている。特許文献２には、格子状に配置された縦バーおよび横バーのうち、横バーが発光するフロントグリルが紹介されている。同文献記載のフロントグリルは、光源と導光体とを備えている。そして、光源からの光を導光体に導くことにより横バーを発光させている。
【０００３】
【特許文献１】
特開平１１−１３９２２７号公報
【特許文献２】
特開昭６３−２５１３４９号公報
【特許文献３】
特開２００１−１０５９６６号公報（第３頁、第４図）
【０００４】
【発明が解決しようとする課題】
しかしながら、特許文献２記載のフロントグリルの場合、フロントグリルは発光するものの、オーナメントは発光しない。そこで、特許文献３には、フロントグリルに配置される発光オーナメントが紹介されている。図６に、同文献記載の発光オーナメントの斜視図を示す。図に示すように、発光オーナメント１００は、モール１０１と発光体１０２とＬＥＤランプ１０３とからなる。モール１０１は、フロントグリル（図略）のほぼ中央に配置されている。発光体１０２は、矩形板状を呈している。発光体１０２は、モール１０１に埋設されている。発光体１０２には、文様１０４が印刷されている。ＬＥＤランプ１０３は、モール１０１に埋設されている。また、ＬＥＤランプ１０３は、発光体１０２の一辺に隣接して配置されている。ＬＥＤランプ１０３からの光は、発光体１０２内を伝播する。そして、発光体１０２表面のうち、文様１０４が印刷されていない部分が発光する。
【０００５】
ところが、同文献記載の発光オーナメント１００によると、発光体１０２の周縁はモール１０１内に埋没していた。このため、発光体１０２周縁からの光が、外部に射出されることはなかった。すなわち、発光体１０２周縁は光らなかった。
【０００６】
本発明の発光オーナメントは、上記課題に鑑みて完成されたものである。したがって、本発明は、発光体の表面のみならず周縁も光る発光オーナメントを提供することを目的とする。
【０００７】
【課題を解決するための手段】
（１）上記課題を解決するため、本発明の発光オーナメントは、外装部材表面側に配置された発光体と、該発光体の表面側に配置されたオーナメント本体と、該発光体の裏面側に配置された光源ユニットと、を備えてなり、該発光体の周縁は外部に表出していることを特徴とする。
【０００８】
つまり、本発明の発光オーナメントは、発光体を外装部材の表面側に配置するものである。そして、発光体の周縁を外部に表出させるものである。本発明の発光オーナメントによると、発光体の表面のみならず周縁までも発光させることができる。したがって、発光体周縁とオーナメント本体との明暗コントラストにより、オーナメント本体を、ちょうど浮き彫りのように、際立たせて表示することができる。すなわち、本発明の発光オーナメントは、意匠性に優れている。
【０００９】
（２）好ましくは、前記光源ユニットは前記外装部材の裏面側に配置されており、該外装部材には該光源ユニットの光を前記発光体に導く通孔が開設されている構成とする方がよい。
【００１０】
つまり、本構成は、外装部材の裏面側に光源ユニットを配置するものである。そして、外装部材に、光源ユニットと発光体とを連通する通孔を開設するものである。
【００１１】
前出図６の発光オーナメント１００の場合、ＬＥＤランプ１０３は、発光体１０２の一辺に隣接して一つだけ配置されていた。このため、ＬＥＤランプ１０３に近接している部位は明るく、ＬＥＤランプ１０３から離間している部位は暗かった。すなわち、発光体１０２は明るさにムラがあった。これに対し、本構成の光源ユニットは、外装部材の裏面側に配置されている。このため、発光体における明るさのムラが少ない。
【００１２】
また、前出図６の発光オーナメント１００の場合、ＬＥＤランプ１０３は、発光体１０２の側方に配置されていた。このため、ＬＥＤランプ１０３からの光を、効率よく発光体１０２表面から射出することが困難だった。これに対し、本構成の光源ユニットは、発光体の裏面側に配置されている。このため、光源ユニットからの光を、効率よく発光体表面から射出することが容易である。
【００１３】
（３）好ましくは、上記（１）の構成において、前記発光体の周縁は前記オーナメント本体の周縁よりも大きく設定されており、該発光体の周縁には、裏から表に向かう方向に狭まるテーパ面が配置されている構成とする方がよい。
【００１４】
本構成によると、発光体の周縁はオーナメント本体の周縁よりも大きい。したがって、発光体の周縁をより視認しやすくなる。また、発光体の周縁には、裏→表方向に狭まるテーパ面が配置されている。このため、発光体周縁の光が、テーパ面を介して、発光体の表方向に射出されやすくなる。すなわち、本構成によると、発光体周縁を、発光体表方向から視認しやすくなる。したがって、オーナメント本体を、さらに際立たせて表示することができる。
【００１５】
（４）好ましくは、上記（３）の構成において、前記テーパ面は、表−裏方向に対して３０°以上６０°以下傾斜している構成とする方がよい。テーパ面の傾斜角度を、表−裏方向に対して３０°以上としたのは、３０°未満の場合、発光体から射出される光が、発光体表方向よりも側方に拡散しやすくなるからである。また、テーパ面の傾斜角度を、表−裏方向に対して６０°以下としたのは、６０°を超える場合、発光体周縁が広がり過ぎ、周縁が暗くなるからである。
【００１６】
（５）好ましくは、上記（１）の構成において、前記オーナメント本体裏面と前記発光体表面との間には、光を反射する反射膜が介挿されている構成とする方がよい。本構成によると、発光体中を伝播する光は、反射膜により反射される。したがって、光が減衰しにくくなる。このため、発光体周縁がさらに明るくなる。
【００１７】
（６）好ましくは、上記（２）の構成において、さらに前記外装部材の裏面側において前記光源ユニットを保持するブラケットを備え、該光源ユニットにはユニット貫通孔が開設されており、前記発光体には発光体貫通孔が開設されており、前記オーナメント本体裏面からは取り付け脚が突設されており、該取り付け脚を、該発光体貫通孔および前記通孔および該ユニット貫通孔に貫通させ、該ブラケットに止着することにより、該オーナメント本体および該発光体および該光源ユニットは、該外装部材に組み付けられている構成とする方がよい。
【００１８】
つまり、本構成は、オーナメント本体とブラケットとの間に、発光体と外装部材と光源ユニットとを挟み込むものである。そして、オーナメント本体および発光体および光源ユニットを、外装部材に組み付けるものである。本構成によると、オーナメント本体および発光体および光源ユニットの位置合わせと、これら各部材の組み付けとを簡単に行うことができる。
【００１９】
（７）好ましくは、前記オーナメント本体は、前記光源ユニットからの光を透過させることができる構成とする方がよい。本構成によると、発光体中を伝播する光が、オーナメント本体を透過して射出される。すなわち、オーナメント本体自体が発光する。このため、さらに意匠性に優れている。
【００２０】
【発明の実施の形態】
以下、本発明の発光オーナメントの実施の形態について説明する。
【００２１】
（１）第一実施形態
まず、本実施形態の発光オーナメントの構成について説明する。図１に、本実施形態の発光オーナメントの分解斜視図を示す。また、図２に、本実施形態の発光オーナメントの斜視図を示す。また、図３に、図２のＩ−Ｉ断面図を示す。
【００２２】
これらの図に示すように、発光オーナメント１は、オーナメント本体２と発光体３と光源ユニット４とブラケット５とを備えている。オーナメント本体２は、不透光性の樹脂製であって楕円リング板状を呈している。
【００２３】
発光体３は、アクリル製であって楕円板状を呈している。発光体３は、オーナメント本体２の裏面に固定されている。発光体３は、オーナメント本体２よりも一回り大きい。発光体３の周縁には、テーパ面３０が形成されている。テーパ面３０は、裏から表の向かう方向に狭まるように形成されている。テーパ面３０は、裏−表方向に対してθ＝４５°傾斜している。オーナメント本体２裏面と発光体３表面との間には、光を反射する反射膜２０が介挿されている。具体的には、反射膜２０は、白色の塗料が発光体３表面に印刷されることにより形成されている。
【００２４】
発光体３の裏面側には、樹脂製であって矩形板状のフロントグリルパネル９が配置されている。フロントグリルパネル９は、本発明の外装部材に含まれる。フロントグリルパネル９のほぼ中央には、楕円形の通孔９０が開設されている。通孔９０の径は、発光体３の径よりも小さく設定されている。発光体３の裏面は、通孔９０周縁に固定されている。
【００２５】
光源ユニット４は、ＬＥＤランプ部４０と表側導光体４１と裏側導光体４２と光源用反射膜４３とを備えている。表側導光体４１は、アクリル製であって矩形板状を呈している。表側導光体４１の表面は、平滑であって、前記フロントグリルパネル９裏面に当接している。表側導光体４１の裏面は、波状を呈している。一方、裏側導光体４２は、アクリル製であって矩形板状を呈している。裏側導光体４２の表面は、波状を呈している。そして、裏側導光体４２の表面は、前記表側導光体４１の裏面と波状に接合されている。裏側導光体４２の裏面は平滑である。光源用反射膜４３は、裏側導光体４２の裏面に銀が蒸着されることにより形成されている。ＬＥＤランプ部４０は、表側導光体４１および裏側導光体４２の両側方に、合計二つ配置されている。ＬＥＤランプ部４０は、バッテリ（図略）と電気的に接続されている。
【００２６】
ブラケット５は、樹脂製あって浅底トレイ状を呈している。ブラケット５のトレイ内部には、前記光源ユニット４が収容されている。ブラケット５の上縁と下縁には、それぞれ取り付け座５０が配置されている。取り付け座５０には、ブラケット側取り付け孔５１が開設されている。また、前記フロントグリルパネル９裏面には、ブラケット側取り付け孔５１と連通するように、パネル側取り付け孔９１が開設されている。スクリュー５２が、ブラケット側取り付け孔５１を貫通し、パネル側取り付け孔９１に止着されることにより、光源ユニット４は固定されている。
【００２７】
次に、本実施形態の発光オーナメントの動きについて説明する。ＬＥＤランプ部４０の光は、光源用反射膜４３、および表側導光体４１と裏側導光体４２との間の波状界面により、光源ユニット４全体にほぼ均一に分散される。このため、光源ユニット４の表面がほぼ均一に面発光する。光は、通孔９０を介して、表側導光体４１から発光体３に入射する。入射した光の一部は、発光体３を通過し、オーナメント本体２中央のリング孔から外部に射出される。また、入射した光の他部は、反射膜２０により反射され、発光体３周縁のテーパ面３０から外部に射出される。
【００２８】
次に、本実施形態の発光オーナメントの効果について説明する。前出図６の発光オーナメント１００の場合、ＬＥＤランプ１０３は、発光体１０２の一辺に隣接して一つだけ配置されていた。また、発光体１０２（本実施形態の表側導光体４１および裏側導光体４２に相当）自体に、発光を均一化させる工夫が無かった。このため、ＬＥＤランプ１０３に近接している部位は明るく、ＬＥＤランプ１０３から離間している部位は暗かった。すなわち、明るさにムラがあった。これに対し、本実施形態の発光オーナメント１の光源ユニット４は、ほぼ均一に面発光する。加えて、光源ユニット４は、発光体３の裏面側に配置されている。このため、発光体３の明るさにムラが生じるおそれが小さい。
【００２９】
また、本実施形態の発光オーナメント１の発光体３の周縁は表出している。このため、発光体３の表面のみならず周縁も発光する。したがって、発光体３周縁とオーナメント本体２との明暗コントラストにより、オーナメント本体２を、ちょうど浮き彫りのように、際立たせて表示することができる。
【００３０】
さらに、発光体３の周縁はオーナメント本体２の周縁よりも大きく設定されており、発光体３の周縁にはテーパ面３０が配置されている。したがって、発光体３周縁の光が、テーパ面３０を介して、発光体３表方向に射出されやすくなる。すなわち、発光体３周縁を、発光体３表方向から視認しやすくなる。この点においても、オーナメント本体２を、さらに際立たせて表示することができる。
【００３１】
また、テーパ面３０は、表−裏方向に対してθ＝４５°傾斜している。このため、発光体３から射出される光が、発光体３表方向よりも側方に拡散しやすくなるおそれが小さい。また、発光体３表方向から見て、発光体３周縁が暗くなるおそれが小さい。すなわち、本実施形態の発光オーナメント１は、特に発光体３表方向から見た場合、意匠性に優れている。
【００３２】
また、オーナメント本体２裏面と発光体３表面との間には、光を反射する反射膜２０が介挿されている。このため、本実施形態の発光オーナメント１によると、発光体３中を伝播する光が反射膜２０により反射される。したがって、光が減衰しにくくなる。このため、発光体３周縁が明るくなる。
【００３３】
また、本実施形態の発光オーナメント１の光源ユニット４によると、ＬＥＤランプ部４０が、表側導光体４１および裏側導光体４２の両側方に配置されている。したがって、裏側導光体４２の裏側に配置した場合と比較して、表裏方向の肉厚が薄く、省スペース性に優れている。
【００３４】
また、本実施形態の発光オーナメント１によると、ＬＥＤランプ部４０消灯時に、発光体３、表側導光体４１、裏側導光体４２を透かして、外部から銀製の光源用反射膜４３を視認することができる。このため、消灯時においても意匠性に優れている。
【００３５】
（２）第二実施形態
本実施形態と第一実施形態との相違点は、オーナメント本体とブラケットとの間に、発光体とフロントグリルパネルと光源ユニットとが挟み込まれている点である。そして、オーナメント本体および発光体および光源ユニットが、フロントグリルパネルに一体に組み付けられている点である。また、オーナメント本体が透光性を有する点である。したがって、ここでは相違点についてのみ説明する。
【００３６】
図４に、本実施形態の発光オーナメントの分解斜視図を示す。なお、図１と対応する部位については同じ符号で示す。また、図５に、本実施形態の発光オーナメントの上下方向断面図を示す。なお、図３と対応する部位については同じ符号で示す。
【００３７】
オーナメント本体２は、アクリルにより形成されている。オーナメント本体２表面には、銀が蒸着されている。オーナメント本体２の裏面ほぼ中央からは、棒状の取り付け脚２１が突設されている。取り付け脚２１先端面には、本体側取り付け孔２１０が穿設されている。発光体３のほぼ中央には、発光体貫通孔３１が開設されている。光源ユニット４のほぼ中央には、ユニット貫通孔４４が開設されている。ブラケット５のほぼ中央には、ブラケット側取り付け孔５１が開設されている。
【００３８】
取り付け脚２１は、表→裏方向に、発光体貫通孔３１、通孔９０、ユニット貫通孔４４、ブラケット側取り付け孔５１を直列に貫通している。そして、取り付け脚２１先端面の本体側取り付け孔２１０には、スクリュー５２が止着されている。また、ブラケット５の上下縁の取り付け座５０は、フロントグリルパネル９裏面に配置されたブラケット用枠部９２に収容されている。
【００３９】
本実施形態の発光オーナメント１は、第一実施形態の発光オーナメントと同様の効果を有する。また、本実施形態の発光オーナメント１によると、オーナメント本体２が、光源ユニット４からの光を透過させることができる。したがって、光源ユニット４点灯時においては、オーナメント本体２も発光する。一方、光源ユニット４消灯時においては、オーナメント本体２は、蒸着された銀により金属光沢を有する。このため、本実施形態の発光オーナメント１は、点灯時においても消灯時においても意匠性に優れている。
【００４０】
また、本実施形態の発光オーナメント１によると、取り付け脚２１が、発光体貫通孔３１、通孔９０、ユニット貫通孔４４、ブラケット側取り付け孔５１を貫通している。そして、取り付け脚２１先端面の本体側取り付け孔２１０に、スクリュー５２が止着されている。このため、オーナメント本体２および発光体３および光源ユニット４の位置合わせと、これら各部材の組み付けとを簡単に行うことができる。
【００４１】
（３）その他
以上、本発明の発光オーナメントの実施の形態について説明した。しかしながら、実施の形態は上記形態に特に限定されるものではない。例えば、上記実施形態の発光オーナメント１においては、ＬＥＤランプ４０を表側導光体４１および裏側導光体４２の両側方に配置したが、例えば裏側導光体４２の裏面側に配置してもよい。また、例えば蛍光灯などＬＥＤランプ４０以外の光源を用いてもよい。また、上記実施形態の発光オーナメント１においては、光源用反射膜４３を銀製としたが、例えば白色塗料の印刷膜であってもよい。また、反射膜２０を銀製としてもよい。また、反射膜２０および光源用反射膜４３の形成方法は特に限定しない。印刷、蒸着の他、スパッタリング、塗装、スプレーなどの方法により形成してもよい。また、第一、第二実施形態においては、発光体３、表側導光体４１、裏側導光体４２を、第二実施形態においてはオーナメント本体２を、アクリル製としたが、例えばポリカーボネイトなど他の透光性材料により形成してもよい。また、透光性材料の色彩、模様、光透過率などは特に限定しない。
【００４２】
また、上記実施形態においては、外装部材としてフロントグリルパネル９を用いたが、外装部材として格子状のフロントグリル、サイドモールディング、バンパーなどを用いてもよい。すなわち、本発明の発光オーナメントは、車両のあらゆる外装部材に配置することができる。
【００４３】
【発明の効果】
本発明によると、発光体の表面のみならず周縁も光る発光オーナメントを提供することができる。
【図面の簡単な説明】
【図１】第一実施形態の発光オーナメントの分解斜視図である。
【図２】第一実施形態の発光オーナメントの斜視図である。
【図３】図２のＩ−Ｉ断面図である。
【図４】第二実施形態の発光オーナメントの分解斜視図である。
【図５】第二実施形態の発光オーナメントの上下方向断面図である。
【図６】従来の発光オーナメントの斜視図である。
【符号の説明】
１：発光オーナメント、２：オーナメント本体、２０：反射膜、２１：取り付け脚、２１０：本体側取り付け孔、３：発光体、３０：テーパ面、３１：発光体貫通孔、４：光源ユニット、４０：ＬＥＤランプ部、４１：表側導光体、４２：裏側導光体、４３：光源用反射膜、４４：ユニット貫通孔、５：ブラケット、５０：取り付け座、５１：ブラケット側取り付け孔、５２：スクリュー、９：フロントグリルパネル（外装部材）、９０：通孔、９１：パネル側取り付け孔、９２：ブラケット用枠部。
【図１】
2004271721.tif 000003
【図２】
2004271721.tif 000004
【図３】
2004271721.tif 000005
【図４】
2004271721.tif 000006
【図５】
2004271721.tif 000007
【図６】
2004271721.tif 000008